(57)【要約】【課題】ＧＰＳ受信機に関し、プリアンプに安定な電圧を供給すると同時に、その供給電流が適性範囲内であるか、適性範囲外であるかを判定し、その結果を出力する回路を提供する。【解決手段】低電流領域を検出するための、大きめの抵抗を有する電源供給経路と、正常範囲の電流と大電流領域を検出するための、小さめの抵抗を有する電源供給経路の２つの電源供給経路を切替えて使用することによって、低電流領域での検出精度の向上と、正常範囲と大電流領域での供給電圧の低下を抑えることができる。【選択図】図１
2005252929.tif 000002
【特許請求の範囲】
【請求項１】
エミッタに抵抗を接続されたＰＮＰトランジスタのエミッタに電圧比較器を有した構成の組み合わせを２対備え、前述の２対のＰＮＰトランジスタのコレクタを共通接続し、電源供給線路を介して、プリアンプに接続することにより、そのプリアンプに安定な電圧を供給すると同時に、そのプリアンプへの供給電流が適切な範囲であるか、適切な範囲外であるかの判定をし、判定結果を出力することを特徴とするＧＰＳ電源供給回路。
【請求項２】
前記２対のＰＮＰトランジスタのコレクタの共通接続部分に第３の電圧比較器を有し、前記プリアンプへの供給電流が適切な範囲以上の際、前述の第３の電圧比較器によって判定することを特徴とする請求項１に記載のＧＰＳ電源供給回路。
【請求項３】
前記同一の製造物が、半導体集積回路であることを特徴とする請求項１に記載のＧＰＳ電源供給回路。
【発明の詳細な説明】
【技術分野】
【０００１】
本発明はＧＰＳ受信機に関し、プリアンプに安定な電圧を供給すると同時に、その供給電流が適性範囲内であるか、適性範囲外であるかを判定し、その結果を出力する回路に関する。
【背景技術】
【０００２】
ＧＰＳ受信機には、一般的にアンテナ部が受信機本体と離れた位置に配置されることが多く、そのアンテナ部の構成要素であるプリアンプには受信機本体から電源が供給される。この受信機とアンテナ部のプリアンプとの接続が正常に行われていない場合（たとえば接続経路の断線や、接触の不完全さにより電圧が正しく伝わらない場合、または、接続経路がＧＮＤなどとショートして過大な電流が流れている場合）、受信機本体からアンテナ部に供給される電流値は正常範囲外となる。また、アンテナ部のプリアンプが不良品で、その消費電流値が正常範囲外の場合も考えられる。このように、受信機本体から、アンテナ部のプリアンプに正常な範囲の電流が供給されているかを確認する手段として電流検出回路が広く用いられている。その電流検出回路の従来例の一つを、図３に示す。アンテナ部（３３）のプリアンプ（３４）に供給する電源経路に抵抗（２９）、ＰＮＰトランジスタ（３０）、電源供給線路（３２）を挿入して、ＰＮＰトランジスタ（３０）のエミッタ電位を電圧比較器１（２４）、電圧比較器２（２５）によってそれぞれ基準電圧１（２１）、基準電圧２（２２）と比較し、その結果を判定回路（２７）に伝達し、正常電流範囲内か正常電流範囲外かを判定している。そのプリアンプ（３４）に供給される電圧と電流の関係を示したのが、図４である。
【０００３】
なお、この出願の発明に関する先行技術文献情報としては、例えば特許文献１が知られている。
【特許文献１】特開２０００−４９７１８号公報
【発明の開示】
【発明が解決しようとする課題】
【０００４】
しかしながら、電流検出回路には、電源供給経路に抵抗を入れて、その抵抗に流れる電流を抵抗の両端の電圧差を測定することによって検出する構成が一般的である。そのため、抵抗の値を大きくするとアンテナ部のプリアンプへの供給電圧が低下し、プリアンプの特性を低下させてしまうことになる。逆に抵抗の値を小さくすると、抵抗の両端に発生する電位差が小さくなり、電流検出の精度が低下してしまう、という課題を有していた。
【０００５】
前記に鑑み、本発明は、電流検出の精度を低下させることなく、アンテナ部のプリアンプへの供給電圧も大きく低下させない安定な電源供給回路を実現することを目的とする。
【課題を解決するための手段】
【０００６】
前記の目的を達成するため、本発明は、低電流領域を検出するための、大きめの抵抗を有する電源供給経路と、正常範囲の電流と大電流領域を検出するための、小さめの抵抗を有する電源供給経路の２つの電源供給経路を切替えて使用することによって、低電流領域での検出精度の向上と、正常範囲と大電流領域での供給電圧の低下を抑えることができる。
【発明の効果】
【０００７】
本発明によると、アンテナ部のプリアンプへの供給電流を精度よく判定し、その供給電圧も大きく低下させることなく、安定な電圧を供給することができる
【発明を実施するための最良の形態】
【０００８】
（第１の実施形態）
以下、本発明の第１の実施形態に係るＧＰＳ電源供給回路について、図面を参照しながら説明する。
【０００９】
まず、図１において、１、２、３は基準電圧、４、５、６は電圧比較器、７は判定回路、８は電源端子、９、１０は抵抗、１１，１２はＰＮＰトランジスタ、１３は判定出力、１４は電源供給線路、１５はアンテナ、１６はプリアンプ、１７はコンデンサ、１８は受信処理部である。無電流状態、または、低電流状態では、ＰＮＰトランジスタ（１１）はオン状態であるが、ＰＮＰトランジスタ（１２）はオフ状態となるように設定されている。この状態では、プリアンプ（１６）に供給される電流は、電源端子（８）から抵抗（９）、さらにＰＮＰトランジスタ（１１）を流れて、さらに電源供給線路（１４）を介して流れており、この場合、プリアンプ（１６）に供給される電圧が、電源端子（８）に対して電圧低下を生じるのは、主として抵抗（９）の部分である。また、抵抗（９）は比較的大きな値を用いることとする。この状態で、プリアンプ（１６）への供給電流が増えた場合を考えると、抵抗（９）での電圧降下が増えていき、やがてＰＮＰトランジスタ（１１）のエミッタ電位が基準電圧１（１）の電位まで低下する。ここで、判定回路（７）の動作によりＰＮＰトランジスタ（１２）が動作を開始する。抵抗（１０）は抵抗（９）より小さな値に設定されており、ＰＮＰトランジスタ（１２）がオン状態になることにより、それまでは、プリアンプ（１６）にはＰＮＰトランジスタ（１１）のコレクタを経由してのみ供給されていたが、ＰＮＰトランジスタ（１２）も同時にオン状態になり、プリアンプ（１６）には、ＰＮＰトランジスタ（１１）とＰＮＰトランジスタ（１２）の両方のコレクタから電流が供給される状態となる。判定回路（７）の動作としては、電圧比較器１（４）の動作によって、ＰＮＰトランジスタ（１１）のエミッタ電位が基準電圧１（１）より低くなるとＰＮＰトランジスタ（１２）の動作を開始させるように動くが、その結果として、プリアンプ（１６）に供給される電流は、ＰＮＰトランジスタ（１１）とＰＮＰトランジスタ（１２）の両方から供給されるようになる。この結果として、ＰＮＰトランジスタ（１１）の供給電流が減少するため、そのエミッタ電位は上昇することになる。その結果、判定回路（７）はＰＮＰトランジスタ（１２）をオフさせる方向に動く。以上の動作は負帰還のループを形成しており、その結果、ＰＮＰトランジスタ（１１）のエミッタ電位が基準電圧１（１）と同電位になる電流量以上の電流がプリアンプ（１６）の電流が流れている場合、その電流が増えても、プリアンプ（１６）への供給電圧は、ほぼ基準電圧１（１）の電圧を保持する。このプリアンプ（１６）への供給電流が増加しているにもかかわらず、供給電圧が保持されている間は、ＰＮＰトランジスタ（１２）の電流のみが増加している状態である。そして、さらにプリアンプ（１６）への供給電流が増えて、抵抗（１０）での電圧降下が、抵抗（９）での電圧降下と等しくなった以降も、さらにプリアンプ（１６）への供給電流が増加した場合、プリアンプ（１６）への供給電圧は抵抗（１０）での電圧降下によって低下していくことになる。そして、プリアンプ（１６）への供給電流が、基準電圧２（５）によって設定されている最大電流範囲を超えた場合、判定回路（７）によってＰＮＰトランジスタ（１２）（あるいは、ＰＮＰトランジスタ（１１）も一緒に）の動作を停止するためにベース電流の供給を止める動作になる。この動作によるプリアンプ（１６）に供給される電流と電圧の関係を示したのが、図２である。ここで、ＰＮＰトランジスタ（１１）のエミッタ電位が、基準電圧１（１）の電位以下で基準電圧２（２）以上の場合、正常電流領域と認識し、判定出力（１３）に信号を出力する。逆にその正常電流領域外の場合には、異常であることを判定出力（１３）に出力する。第１の実施形態を示した図２を見ると、従来の実施例（図３）によるプリアンプ（３４）に供給される電流と電圧の関係を示した図４に比較して、正常電流の範囲での供給電圧の変動が小さく、また、低電流領域での判定電圧が、ある程度大きいため、精度の良い判定のできることが、推定できる。
【産業上の利用可能性】
【００１０】
以上説明したように、本発明は、ＧＰＳ受信機のプリアンプへの安定な電源電圧の供給に有用である。
【図面の簡単な説明】
【００１１】
【図１】第１の実施形態に係るＧＰＳ電源供給回路を示すブロック図
【図２】第１の実施形態でのプリアンプへの供給電圧と供給電流の関係を示した特性図
【図３】従来のＧＰＳ電源供給回路を示すブロック図
【図４】従来のＧＰＳ電源供給回路でのプリアンプへの供給電圧と供給電流の関係を示した特性図
【符号の説明】
【００１２】
１  基準電圧１
２  基準電圧２
３  基準電圧３
４  電圧比較器１
５  電圧比較器２
６  電圧比較器３
７  判定回路
８  電源端子
９  抵抗１
１０  抵抗２
１１  ＰＮＰトランジスタ１
１２  ＰＮＰトランジスタ２
１３  判定出力
１４  電源供給線路
１５  アンテナ
１６  プリアンプ
１７  コンデンサ
１８  受信処理部
２１  基準電圧１
２２  基準電圧２
２３  基準電圧３
２４  電圧比較器１
２５  電圧比較器２
２６  電圧比較器３
２７  判定回路
２８  電源端子
２９  抵抗
３０  ＰＮＰトランジスタ
３１  判定出力
３２  電源供給線路
３３  アンテナ
３４  プリアンプ
３５  コンデンサ
３６  受信処理部
【図１】
2005252929.tif 000003
【図２】
2005252929.tif 000004
【図３】
2005252929.tif 000005
【図４】
2005252929.tif 000006